(57)【要約】【課題】装置カバーの開閉操作時に必要な操作力を低減させ、ユーザビリティ性を向上させることができる画像形成装置を提供する。【解決手段】装置本体５０内に設けられ、加圧ローラ２２を加圧し定着ローラ２１に圧接させて定着ニップを形成する定着装置２０と、定着装置２０を覆うように装置本体５０に開閉自在に設けられ、装置本体５０側に設けられたカバーフックピン５４と係合するカバーフック６４を有する装置カバー６１と、装置カバー６１の開閉に連動させて、加圧ローラ２２を定着ローラ２１に対して加圧及び加圧解除させる加圧機構６０とを備える。上記加圧機構６０は、装置カバー６１を閉じる際に装置本体５０側のカバーフックピン５４と装置カバー６１のカバーフック６４とが係合するのに必要な負荷がピークに達する前に、定着ローラ２１と加圧ローラ２２を圧接状態とする加圧時に必要な負荷がピークに達するように構成される。【選択図】図５
2015041093.tif 000002
【特許請求の範囲】
【請求項１】
本体内に設けられ、一対の回転体のうち一方の回転体を加圧して一方の回転体を他方の回転体に圧接させて圧接部を形成し、該圧接部にシート材を挟持して搬送するシート材搬送装置と、
該シート材搬送装置を覆うように該本体に開閉自在に設けられ、該本体側に設けられた係合部と係合する被係合部を有する装置カバーと、
該装置カバーの開閉に連動させて、一方の回転体を他方の回転体に対して加圧及び加圧解除させる加圧機構とを備える画像形成装置において、
上記加圧機構は、上記装置カバーを閉じる際に上記本体側の係合部と該装置カバーの被係合部とが係合するのに必要な負荷がピークに達する前に、一対の回転体を圧接状態とする加圧時に必要な負荷がピークに達するように構成されることを特徴とする画像形成装置。
【請求項２】
請求項１の画像形成装置において
上記加圧機構は、基端が上記本体内の固定支持部に支持され、上記回転体のうち一方の回転体の回転支持部に当接して、該回転体を加圧する加圧位置と該回転体への加圧を解除する加圧解除位置に揺動可能な加圧レバーと、
該加圧レバーの揺動端側に基端が支持され該加圧レバーを揺動させる揺動レバーと、
該揺動レバーを介して該加圧レバーを加圧位置方向又は加圧解除位置方向へ付勢可能な付勢部材と、
上記装置カバーに付設され、該加圧レバーを加圧解除位置又は加圧位置へ揺動させるように、該揺動レバーを押圧する押圧レバーとから構成されることを特徴とする画像形成装置。
【請求項３】
請求項２の画像形成装置において、
一対の回転体を圧接状態とする加圧時に必要な負荷がピークに達するまでは、上記押圧レバーは上記揺動レバーを押圧し、
一対の回転体を圧接状態とする加圧時に必要な負荷がピークに達してから、上記装置カバーを閉じる際に必要な負荷がピークに達するまでは、該揺動レバーは該押圧レバーに対して上記装置カバーが閉じる方向に力を付与することを特徴とする画像形成装置。
【請求項４】
請求項１、２又は３の画像形成装置において、
上記加圧機構は一方の回転体の回転軸両端部に設置され、
加圧時に必要な負荷がピークに達するタイミングが回転軸両端部で異なることを特徴とする画像形成装置。
【請求項５】
請求項１、２、３又は４の画像形成装置において、
上記シート材搬送装置は、一方の回転体に定着ローラを用いる定着装置であることを特徴とする画像形成装置。
【請求項６】
請求項１、２、３又は４の画像形成装置において、
上記シート材搬送装置は、一方の回転体に定着ベルトを用いる定着装置であることを特徴とする画像形成装置。
【発明の詳細な説明】
【技術分野】
【０００１】
本発明は、複写機、ファクシミリ、プリンタ等の画像形成装置に関するものである。
【背景技術】
【０００２】
一対の回転体のうち、一方の回転体を加圧して他方の回転体を圧接させ、この圧接部にシート材を挟持して搬送するシート材搬送装置が知られている。このようなシート材搬送装置の一例として定着装置が挙げられる。定着装置は、定着ローラや定着ベルトなどの定着部材と、定着部材に対向する加圧ローラなどの加圧部材とによって圧接部を形成し、シート材に担持された未定着のトナー像を圧接部で熱及び圧力によりシート材に定着させるとともに、シート材を搬送している。
【０００３】
上記定着装置では、圧接部にシート材が詰まった際に、定着装置が組み込まれた画像形成装置の装置カバーを開けて、ユーザーが詰まったシート材を除去できるようになっている。このとき、ユーザーが圧接部に詰まったシート材を除去しやすくするため、装置カバーの開閉操作に連動させて加圧部材の定着部材に対する加圧力を可変にした加圧機構を備えたものが知られている（例えば、特許文献１〜４参照）。
【発明の概要】
【発明が解決しようとする課題】
【０００４】
しかしながら、上述した装置カバーの開閉操作に連動させて加圧機構を動作させる構成は、駆動モータやカム機構を用いて自動で加圧機構を動作させる構成に比べ、装置カバーの開閉操作に必要な操作力が大きくなる。また、装置カバーの開閉操作時に必要な操作力は、装置カバーの荷重以外に、装置本体と装置カバーとの係合に必要な負荷や、加圧部材を加圧するのに必要な負荷を加算したものとなる。従来の画像形成装置においては、これら負荷がピークに達するタイミングは考慮されておらず略同時であるため、操作力が急激に上昇する結果になっていた。近年では、省エネルギー性の向上を図るため、定着装置の供給熱量を抑え、これに伴い低下した定着性は加圧部材の定着部材に対する加圧力を上げることで対応することが多い。その結果、装置カバーの開閉操作時の操作力は更に上昇傾向にある。このように、装置カバーの開閉操作時の操作力の急激な上昇は、ユーザーの負担増大、装置が動いてしまうなど、ユーザビリティ性を低下させてしまう。
【０００５】
本発明は以上の問題点に鑑みなされたものであり、その目的は、装置カバーの開閉操作時に必要な操作力を低減させ、ユーザビリティ性を向上させることができる画像形成装置を提供することである。
【課題を解決するための手段】
【０００６】
上記課題を解決するため、請求項１の発明は、本体内に設けられ、一対の回転体のうち一方の回転体を加圧して一方の回転体を他方の回転体に圧接させて圧接部を形成し、該圧接部にシート材を挟持して搬送するシート材搬送装置と、該シート材搬送装置を覆うように該本体に開閉自在に設けられ、該本体側に設けられた係合部と係合する被係合部を有する装置カバーと、該装置カバーの開閉に連動させて、一方の回転体を他方の回転体に対して加圧及び加圧解除させる加圧機構とを備える画像形成装置において、上記加圧機構は、上記装置カバーを閉じる際に上記本体側の係合部と該装置カバーの被係合部とが係合するのに必要な負荷がピークに達する前に、一対の回転体を圧接状態とする加圧時に必要な負荷がピークに達するように構成されることを特徴とするものである。
【発明の効果】
【０００７】
本発明は、装置カバーの開閉操作時に必要な操作力を低減させ、ユーザビリティ性を向上させることができるという優れた効果がある。
【図面の簡単な説明】
【０００８】
【図１】本実施形態に係るプリンタの構成を示す概略構成図。
【図２】同プリンタのＹ用のプロセスカートリッジと、その周囲の構成を示す拡大構成図。
【図３】装置カバーが開いた状態のプリンタの構成を示す部分拡大構成図。
【図４】装置カバーを閉じる際の操作力の推移を示した特性図。
【図５】加圧機構の構成を示す模式図であり、（ａ）は装置カバーを閉じる際に定着装置への加圧に必要な負荷が最大となるタイミング時の状態を説明する模式図、（ｂ）は装置カバーを閉じ終えた状態を説明する模式図。
【図６】（ａ）は定着装置と装置カバーとの位置関係を説明する上面図、（ｂ）は定着装置と装置カバーとの位置関係を説明する正面図。
【発明を実施するための形態】
【０００９】
以下、本発明を適用した画像形成装置として、電子写真方式のプリンタ（以下、単にプリンタという）の一実施形態について説明する。まず、本プリンタの基本的な構成について説明する。図１は、本プリンタの構成を示す概略構成図である。同図において、このプリンタは、イエロー、マゼンタ、シアン、ブラック（以下、Ｙ、Ｍ、Ｃ、Ｋと記す）のトナー像を生成するための４つのプロセスカートリッジ６Ｙ、Ｍ、Ｃ、Ｋを備えている。これらは、画像形成物質として、互いに異なる色のＹ、Ｍ、Ｃ、Ｋトナーを用いるが、それ以外は同様の構成になっており、寿命到達時に交換される。Ｙトナー像を生成するためのプロセスカートリッジ６Ｙを例にすると、図２に示すように、ドラム状の感光体１Ｙ、ドラムクリーニング装置２Ｙ、除電装置（不図示）、帯電装置４Ｙ、現像器５Ｙ等を備えている。画像形成ユニットたるプロセスカートリッジ６Ｙは、プリンタ本体に脱着可能であり、一度に消耗部品を交換できるようになっている。
【００１０】
上記プロセスカートリッジ６Ｙ、Ｍ、Ｃ、Ｋの図中下方には、潜像形成手段たる露光装置７が配設されている。この露光装置７は、画像情報に基づいて発したレーザ光Ｌを、プロセスカートリッジ６Ｙ、Ｍ、Ｃ、Ｋにおけるそれぞれの感光体に照射して露光する。この露光により、感光体１Ｙ、Ｍ、Ｃ、Ｋ上にＹ、Ｍ、Ｃ、Ｋ用の静電潜像が形成される。なお、露光装置７は、光源から発したレーザ光（Ｌ）を、モータによって回転駆動したポリゴンミラーで走査しながら、複数の光学レンズやミラーを介して感光体に照射するものである。
【００１１】
上記プロセスカートリッジ６Ｙにおいて、図示しない駆動手段によって図中時計回りに回転せしめられる感光体１Ｙの表面は、帯電装置４Ｙによって一様帯電せしめられる。一様帯電せしめられた感光体１Ｙの表面は、露光装置７からのレーザ光Ｌによって露光走査されてＹ用の静電潜像を担持する。この静電潜像は、Ｙトナーと磁性キャリアとを含有するＹ現像剤を用いる現像器５ＹによってＹトナー像に現像される。そして、後述する中間転写ベルト８上に中間転写される。中間転写工程を経た後の感光体１Ｙ表面は、ドラムクリーニング装置２Ｙによって残留トナーが除去され、除電装置によって残留電荷が除電される。これにより、感光体１Ｙの表面が初期化されて次の画像形成に備えられる。他色のプロセスカートリッジ（６Ｍ、Ｃ、Ｋ）においても、同様にして感光体（１Ｍ、Ｃ、Ｋ）上に（Ｍ、Ｃ、Ｋ）トナー像が形成されて、中間転写ベルト８上に中間転写される。
【００１２】
露光装置７の図中下側には、紙収容カセット３０、これらに組み込まれた給紙ローラ３１など有する紙収容手段が配設されている。紙収容カセット３０は、シート状の記録体たる転写紙Ｐを複数枚重ねて収納しており、それぞれの一番上の転写紙Ｐには給紙ローラ３１を当接させている。給紙ローラ３１が図示しない駆動手段によって図中反時計回りに回転せしめられると、一番上の転写紙Ｐが給紙路３２に向けて送り出される。
【００１３】
この給紙路３２の末端付近には、レジストローラ対３３が配設されている。レジストローラ対３３は、転写紙Ｐを挟み込むべく両ローラを回転させるが、挟み込んですぐに回転を一旦停止させる。そして、転写紙Ｐを適切なタイミングで後述の二次転写ニップに向けて送り出す。
【００１４】
プロセスカートリッジ６Ｙ、Ｍ、Ｃ、Ｋの図中上方には、中間転写体たる中間転写ベルト８を張架しながら無端移動せしめる中間転写ユニット１０が配設されている。この中間転写ユニット１０は、中間転写ベルト８の他、二次転写バイアスローラ１９、クリーニング装置１５などを備えている。また、４つの一次転写バイアスローラ９Ｙ、Ｍ、Ｃ、Ｋ、二次転写バックアップローラ１２、クリーニングバックアップローラ１３、テンションローラ１４なども備えている。中間転写ベルト８は、これら７つのローラに張架されながら、少なくとも何れか１つのローラの回転駆動によって図中反時計回りに無端移動せしめられる。一次転写バイアスローラ９Ｙ、Ｍ、Ｃ、Ｋは、このように無端移動せしめられる中間転写ベルト８を感光体１Ｙ、Ｍ、Ｃ、Ｋとの間に挟み込んでそれぞれ一次転写ニップを形成している。これらは中間転写ベルト８の裏面（ループ内周面）にトナーとは逆極性（例えばプラス）の転写バイアスを印加する方式のものである。一次転写バイアスローラ９Ｙ、Ｍ、Ｃ、Ｋを除くローラは、全て電気的に接地されている。中間転写ベルト８は、その無端移動に伴ってＹ、Ｍ、Ｃ、Ｋ用の一次転写ニップを順次通過していく過程で、感光体１Ｙ、Ｍ、Ｃ、Ｋ上のＹ、Ｍ、Ｃ、Ｋトナー像が重ね合わせて一次転写される。これにより、中間転写ベルト８上に４色重ね合わせトナー像（以下、４色トナー像という）が形成される。
【００１５】
上記二次転写バックアップローラ１２は、二次転写バイアスローラ１９との間に中間転写ベルト８を挟み込んで二次転写ニップを形成している。中間転写ベルト８上に形成された可視像たる４色トナー像は、この二次転写ニップで転写紙Ｐに転写される。そして、転写紙Ｐの白色と相まって、フルカラートナー像となる。二次転写ニップを通過した後の中間転写ベルト８には、転写紙Ｐに転写されなかった転写残トナーが付着している。これは、クリーニング装置１５によってクリーニングされる。二次転写ニップで４色トナー像が一括二次転写された転写紙Ｐは、転写後搬送路３４を経由し、シート材搬送装置として一対の回転体たる定着ローラと加圧ローラとを備えた定着装置２０に送られる。
【００１６】
定着装置２０は、内部にハロゲンランプ等の発熱源を有する定着部材たる定着ローラ２１と、これに所定の圧力で当接しながら回転する加圧部材たる加圧ローラ２２とによって定着ニップを形成している。定着装置２０内に送り込まれた転写紙Ｐは、その未定着トナー像担持面を定着ローラ２１に密着させるようにして、定着ニップに挟まれる。そして、加熱や加圧の影響によってトナー像中のトナーが軟化さしめられて、フルカラー画像が定着せしめられる。
【００１７】
定着装置２０内でフルカラー画像が定着せしめられた転写紙Ｐは、定着装置２０を出た後、排紙路３５と反転前搬送路３６との分岐点にさしかかる。この分岐点には、第一切替爪３７が揺動可能に配設されており、その揺動によって転写紙Ｐの進路を切り替える。具体的には、爪の先端を反転前搬送路３６に近づける方向に動かすことにより、転写紙Ｐの進路を排紙路３５に向かう方向にする。また、爪の先端を反転前搬送路３６から遠ざける方向に動かすことにより、転写紙Ｐの進路を反転前搬送路３６に向かう方向にする。
【００１８】
第一切替爪３７によって排紙路３５に向かう進路が選択されている場合には、転写紙Ｐは、排紙路３５から排紙ローラ対３８を経由した後、機外へと排出されて、装置本体５０の上面に設けられたスタック５０ａ上にスタックされる。これに対し、第一切替爪３７によって反転前搬送路３６に向かう進路が選択されている場合には、転写紙Ｐは反転前搬送路３６を経て、反転ローラ対３９のニップに進入する。反転ローラ対３９は、ローラ間に挟み込んだ転写紙Ｐをスタック部５０ａに向けて搬送するが、転写紙Ｐの後端をニップに進入させる直前で、ローラを逆回転させる。この逆転により、転写紙Ｐがそれまでとは逆方向に搬送されるようになり、転写紙Ｐの後端側が反転ユニット４０内の反転前搬送路３６内に進入する。
【００１９】
反転前搬送路３６は、鉛直方向上側から下側に向けて湾曲しながら延在する形状になっており、路内に第一反転搬送ローラ対４１、第二反転搬送ローラ対４２、第三反転搬送ローラ対４３を有している。転写紙Ｐは、これらローラ対のニップを順次通過しながら搬送されることで、その上下を反転させる。上下反転後の転写紙Ｐは、上述の給紙路３２に戻された後、再び二次転写ニップに至る。そして、今度は、画像非担持面を中間転写ベルト８に密着させながら二次転写ニップに進入して、その画像非担持面に中間転写ベルトの第二の４色トナー像が一括二次転写される。この後、転写後搬送路３４、定着装置２０、排紙路３５、排紙ローラ対３８を経由して、機外のスタック部５０ａ上にスタックされる。このような反転搬送により、転写紙Ｐの両面にフルカラー画像が形成される。
【００２０】
上記中間転写ユニット１０と、これよりも上方にあるスタック部５０ａとの間には、ボトル支持部５１が配設されている。このボトル支持部５１は、Ｙ、Ｍ、Ｃ、Ｋトナーを収容するトナー収容部たるトナーボトル５２Ｙ、Ｍ、Ｃ、Ｋを搭載している。トナーボトル５２Ｙ、Ｍ、Ｃ、Ｋは、互いに水平よりも少し傾斜した角度で並ぶように配設され、Ｙ、Ｍ、Ｃ、Ｋという順で配設位置が高くなっている。トナーボトル５２Ｙ、Ｍ、Ｃ、Ｋ内のＹ、Ｍ、Ｃ、Ｋトナーは、それぞれ図示しないトナー搬送装置により、プロセスカートリッジ６Ｙ、Ｍ、Ｃ、Ｋの現像器５Ｙ、Ｍ、Ｃ、Ｋに適宜補給される。これらのトナーボトル５２Ｙ、Ｍ、Ｃ、Ｋは、プロセスカートリッジ６Ｙ、Ｍ、Ｃ、Ｋとは独立してプリンタ本体に脱着可能である。
【００２１】
また、本実施形態に係るプリンタの装置本体５０の図１中右側面には、反転ユニット４０を収容する装置カバー６１が配設されている。図３は、装置カバーを解放した様子を説明する概略構成図である。図３に示すように、装置カバー６１はその下部に設けられた回動軸６２を支点として反転ユニット４０とともに揺動可能に設けられ、装置本体５０に対して開閉可能に設けられている。
【００２２】
図１に示すように、装置カバー６１が装置本体５０に対して閉じられた状態のときは、装置本体５０との間に、転写後搬送路３４や、定着装置２０から機外に至るまでの通紙路を形成している。このとき、装置本体５０側に固定された係合部たるカバーフックピン５４と、装置カバー６１に付設された被係合部たるカバーフック６４とが係合して、装置カバー６１が定位置にセットされる。一方、図３に示すように、装置カバー６１が開かれた状態の時は、後述する加圧機構６０により、定着装置２０において加圧ローラ２２の定着ローラ２１への加圧力が解除されている。これにより、先に図３に示したように、転写後搬送路３４や、定着装置２０から機外に至るまでの通紙路を外部に露出させ、これら路内におけるジャム紙を容易に取り除くことができる。
【００２３】
ところで、上述した装置カバー６１を閉じる操作には、装置カバー６１の荷重以外に、二次転写ニップでの加圧、定着ニップでの加圧、装置本体５０（カバーフックピン５４）と装置カバー６１（カバーフック６４）との係合部での加圧など、大きな負荷をかける必要が生じる。各部位に必要な負荷は、装置カバーの回動軸６２（支点）からの距離に依存する（荷重×距離のモーメント）。そのため、用紙搬送方向下流側にある、定着ニップでの加圧や装置本体５０と装置カバー６１との係合部での加圧の影響が大きい。
【００２４】
図４は、装置カバーを閉じる際の操作力の推移を示した特性図である。図中点線Ｂで示すように、定着ニップでの加圧に必要な負荷のピークと、装置本体５０と装置カバー６１との係合に必要な負荷のピークとが同じタイミングであると、負荷が加算されるため、操作力が急激に増大しユーザビリティ性に難がある。
【００２５】
そこで、本実施形態に係る定着装置２０の加圧機構６０は、図中実線Ａで示すように、装置本体５０と装置カバー６１との係合に必要な負荷がピークに達する前に、定着ニップでの加圧に必要な負荷がピークに達するように構成されている。これにより、装置カバー６１を閉じる際の操作力の急激な上昇を抑え、操作力を低減させている。
【００２６】
以下、上記加圧機構６０について、詳細に説明する。図５は、加圧機構の構成を示す模式図であり、（ａ）は装置カバーを閉じる際に定着装置への加圧に必要な負荷が最大となるタイミング時の状態を説明する模式図、（ｂ）は装置カバーを閉じ終えた状態を説明する模式図である。まず、カバーフック６４は、図５に示すように、装置本体５０に対向する先端部６４ａが鉤状に形成され、支点６４ｂを中心に回転可能なように基端が装置カバー６１に軸支され、スプリング６５により回転範囲が規制されている。図５（ａ）に示すように、装置カバー６１を閉じようとすると、装置カバー６１側のカバーフック６４の先端部６４ａの傾斜面が装置本体５０側のカバーフックピン５４に当接する。ここでカバーフック６４に取り付けられたスプリング６５の付勢力に抗して所定以上の負荷が加えられると、くさび作用により先端部６４ａの傾斜面がカバーフックピン５４の下方に押し込まれる。カバーフックピン５４がカバーフック６４の先端部６４ａの傾斜面を乗り越えると、カバーフック６４はスプリング６５により引っ張られ、鉤状の先端部６４ａの内側にカバーフックピン５４を係止する。これにより、図６（ｂ）に示すように装置カバー６１が定位置にセットされることになる。
【００２７】
一方、上記加圧機構６０は、装置本体５０内又は定着装置２０内に設けられる加圧レバー２４、揺動レバー２５、加圧スプリング２６、加圧フック２７と、装置カバー６１に付設される押圧レバー６３とから主に構成される。加圧レバー２４は、装置本体５０の側面又は定着装置２０の側面から延びる固定支持部たる支持軸２３に、加圧位置と加圧解除位置との間を揺動自在に固定されている。そして、加圧レバー２４は、加圧ローラ２２の回転支持部たる軸受２２ａと当接し、軸受２２ａを定着ローラ２１側へ加圧することで、加圧ローラ２２が定着ローラ２１に圧接する。具体的には、軸受２２ａを定着ローラ２１側へ加圧すると、軸受２２ａは軸受２２ａを保持する側板の係合溝に案内されて、係合溝の側面に突き当たる。これにより、軸受２２ａに固定されている加圧ローラ２２が定着ローラ２１を所定の圧力で加圧することができる。
【００２８】
また、上記加圧レバー２４の揺動端側には、支持ピン２８が設けられており、この支持ピン２８には、加圧位置と加圧解除位置の間を揺動する揺動レバー２５が揺動自在に取り付けられている。この揺動レバー２５は、支持ピン２８が取り付けられる基端部と、図中上方に延び、装置カバー６１側の押圧レバー６３に押圧されて揺動する揺動部とから構成される。また、揺動レバー２５の基端部の支持ピン２８の近傍には、支持ピン２９が取り付けられており、この支持ピン２９には加圧フック２７が揺動自在に取り付けられている。揺動レバー２５の揺動部には、後述する押圧レバー６３の凹部６３ａと係合可能なように、突起部２５ａが軸方向に延設されている。
【００２９】
上記加圧フック２７の先端部には、付勢部材たる加圧スプリング２６の一端２６ａが取り付けられており、加圧スプリング２６の他端２６ｂは、装置本体５０の側面又は定着装置２０の側面に取り付けられている。加圧スプリング２６は、圧縮スプリングで、後述するように加圧フック２７を介して揺動レバー２５を引っ張っている。
【００３０】
上記押圧レバー６３は、装置カバー６１の側板に取り付けられ、回動軸６２を支点として揺動する。この押圧レバー６３は、下方に向けて開口する凹部６３ａが形成され、所定の揺動角度範囲内では、揺動レバー２５の突起部２５ａが凹部６３ａ内を揺動可能な状態で係合できる位置関係となっている。
【００３１】
図３に示すように、装置カバー６１が装置本体５０から大きく離間して開かれた状態で、加圧レバー２４及び揺動レバー２５が加圧解除状態にあるときは、加圧スプリング２６は自由長となっている。図３から図１に示す状態へと装置カバー６１を閉めるべく、スプリング６５の付勢力に抗し、装置カバー６１を図中反時計回り方向に移動させると、押圧レバー６３の凹部６３ａの内壁面が、図中点Ｐ１で、揺動レバー２５の突起部２５ａを押圧する。ここから、定着ニップでの加圧に必要な負荷が装置カバー６１を閉じる際の操作力に上乗せされる。押圧レバー６３からの押圧力により、揺動レバー２５は、支持軸２３を中心として、図中Ｃ方向（反時計回り方向）に揺動する。
【００３２】
上記押圧レバー６３による押圧力は、揺動レバー２５を介して支持ピン２８に伝達し、支持軸２３を揺動の支点として加圧レバー２４を図中反時計回り方向に揺動させる。これにより、加圧レバー２４は、軸受け２２ａを定着ローラ２１側へ押し込み、加圧ローラ２２を定着ローラ２１側へ加圧する。また、押圧レバー６３による押圧力は、揺動レバー２５を介して支持ピン２９に伝達し、加圧スプリング２６を自由長から伸長させる。図５（ａ）に示すように、加圧スプリング２６の一端２６ａ（装置カバー側端部）と支持ピン２９の位置が同一直線上になると、加圧スプリング２６の長さは最長となり、定着ニップでの加圧に必要な負荷もピークに達する。
【００３３】
上記揺動レバー２５は、加圧スプリング２６の長さが最長となった位置から押圧レバー６３によりさらに押圧されると、加圧スプリング２６は自由長に戻ろうとし、揺動レバー２５及び加圧レバー２４は加圧状態に自動で位置変化する。そして、装置本体５０側のカバーフックピン５４と、装置カバー６１側のカバーフック６４との係合に必要な負荷が与えられることにより、図５（ｂ）に示すように、装置カバー６１が完全に閉じられ、定着ローラ２１と加圧ローラ２２とが所定の加圧状態となる。
【００３４】
このように、本実施形態に係る加圧機構６０では、装置本体５０（カバーフックピン５４）と装置カバー６１（カバーフック６４）との係合部での負荷がピークに達する前に、定着ニップでの負荷がピークに達する。これにより、装置カバー６１を閉じる際に操作力が分散し、図４中実線Ａで示すように、操作力の急激な増大を抑制し、操作力の低減を図ることができる。
【００３５】
また、図５（ａ）に示す定着ニップにかかる負荷がピークに達した（加圧スプリング２６が最長になった）状態から、図５（ｂ）に示す定着ニップでの加圧が完了した状態に移行する際は、揺動レバー２５が押圧レバー６３を押圧するようにするとよい。上述したように、押圧レバー６３には、下方に向けて開口する凹部６３ａが形成され、凹部６３ａ内を揺動レバー２５の突起部２５ａが揺動可能に構成されている。これにより、揺動レバー２５の突起部２５ａが、加圧スプリング２６の自由長に戻ろうとする力により押圧レバー６３の凹部の内壁内の点Ｐ２に当接し、押圧レバー６３に対して装置カバー６１が閉じる方向の力を付与することができる。その結果、装置カバー６１を閉じる際にかかる操作力をさらに低減することができる。
【００３６】
なお、加圧スプリング２６が自然長に戻った時点で、装置カバー６１（押圧レバー６３）の移動が止まってしまうと、押圧レバー６３の凹部と揺動レバー２５とが点Ｐ２で接触したままの状態となり、定着ニップにおける加圧力のばらつきが生じやすくなる。よって、加圧スプリング２６が自然長に戻った後、装置カバー６１（押圧レバー６３）は、ユーザーからの操作力によって図中矢印Ｃ方向の移動を継続させるとよい。これにより、図５（ｂ）に示すように、カバーフックピン５４とカバーフック６４との係合が終了した際には、揺動レバー２５の突起部２５ａと押圧レバー６３の凹部６３の内壁面とが離間することになり、定着ニップにおける加圧力のばらつきが生じにくくなる。
【００３７】
また、本実施形態に係るプリンタにおいては、上述した加圧機構６０やカバーフックピン６４は、装置手前側と装置奥側とにそれぞれ設けられている。図５（ｂ）に示すように、手前側の加圧機構６０は、加圧ローラ２２を回転自在に支持する手前側の軸受２２ａを定着ローラ２１側に加圧する。一方、図示しない奥側の加圧機構は、加圧ローラ２２を回転自在に支持する奥側の図示しない軸受を定着ローラ２１側に加圧する。上述したように、装置手前側の加圧機構６０と装置奥側の加圧機構は、同様の構成としているが、加圧時の負荷がピークに達するタイミングは互いに異なることが好ましい。例えば、装置手前側の加圧機構６０と装置奥側の加圧機構とでは、揺動レバー２５の突起部２５ａが押圧レバー６３の内壁面に押圧されるタイミングが異なることが好ましい。これにより、各部位で必要な負荷が分散し、操作時に必要な操作力をさらに低減することができる。
【００３８】
一般的に装置カバーは、上述したように装置本体５０の側面に設けられている。また、操作性を考慮して、装置本体５０の正面側から作業できるように、装置カバー６１の装置正面側端部に操作者が把持する把手などが設けられている。そのため、図６（ａ）に示すように、装置カバー６１の正面側端部の図示しない把手を用いて開閉操作を行うと、操作をしていないもう一方の奥側端部が正面側端部よりも遅れてついてくることになり、装置カバー６１が倒れている状態となる。装置カバー６１を閉じようとすると、手前側端部では揺動レバー２５と押圧レバー６３の接触は任意の幅Ｌ１を有しているが、装置奥側端部では揺動レバー２５と押圧レバー６３との接触は点Ｐ３でのみの点接触となってしまうのである。その結果、装置カバー６１を閉じる際には、より大きな操作力を必要としてしまう。
【００３９】
そこで、装置手前側の加圧機構６０で加圧時の負荷がピークになるタイミングを、装置奥側の加圧機構で加圧時の負荷がピークになるタイミングよりも早くするとよい。装置手前側の加圧機構６０で、揺動レバー２５が押圧レバー６３を引っ張り始めてから、装置奥側の加圧機構６０で加圧動作に移行するような構成とするとよい。例えば、装置奥側に設けられる押圧レバー６３の凹部の点Ｐ１が設けられる内壁面の位置を、後方（図５中右側）に下げればよい。これにより、装置奥側の加圧機構６０において、加圧時の負荷がピークに達するタイミングを装置手前側の加圧機構６０に比べ遅らせることができ、装置カバー６１の倒れによる操作力の増大を抑制することができる。
【００４０】
以上に説明したものは一例であり、本発明は、次の態様毎に特有の効果を奏する。
（態様Ａ）
装置本体５０などの本体内に設けられ、一対の回転体のうち加圧ローラ２２などの一方の回転体を加圧して一方の回転体を定着ローラ２１などの他方の回転体に圧接させて定着ニップなどの圧接部を形成し、該圧接部に転写紙Ｐなどのシート材を挟持して搬送する定着装置２０などのシート材搬送装置と、該シート材搬送装置を覆うように該本体に開閉自在に設けられ、本体側に設けられた係合部と係合する被係合部を有する装置カバー６１などの装置カバーと、該装置カバーの開閉に連動させて、一方の回転体を他方の回転体に対して加圧及び加圧解除させる加圧機構６０などの加圧機構とを備える画像形成装置において、上記加圧機構は、上記装置カバーを閉じる際に上記本体側の係合部と該装置カバーの被係合部とが係合するのに必要な負荷がピークに達する前に、一対の回転体を圧接状態とする加圧時に必要な負荷がピークに達するように構成される。
これによれば、上記実施形態について説明したように、装置カバーを閉じる際に各部位で必要な負荷がピークに達するタイミングが異なるので、これらタイミングが同時となる場合に比べ、操作力の急激な上昇が抑制され、操作力が低減される。
（態様Ｂ）
（態様Ａ）の画像形成装置において、上記加圧機構は、基端が本体内の支持軸２３などの固定支持部に支持され、上記回転体のうち加圧ローラ２２などの一方の回転体の軸受け２２ａなどの回転支持部に当接して、該回転体を加圧する加圧位置と該回転体への加圧を解除する加圧解除位置に揺動可能な加圧レバー２４などの加圧レバーと、該加圧レバーの揺動端側に基端が支持され該加圧レバーを揺動させる揺動レバー２５などの揺動レバーと、該揺動レバーを介して加圧レバーを加圧位置方向又は加圧解除位置方向へ付勢可能な加圧スプリング２６などの付勢部材と、上記装置カバー６１などの装置カバーに付設され、該加圧レバーを加圧解除位置又は加圧位置へ揺動させるように、該揺動レバーを押圧する押圧レバー６３などの押圧レバーとから構成される。
これによれば、上記実施形態について説明したように、装置カバーを閉じる際には、押圧レバーが揺動レバーを押圧する時点から、一対の回転体を圧接状態とする加圧時に必要な負荷が操作力に上乗せされる。そして、加圧時に必要な負荷がピークに達した後、加圧レバーは揺動レバーを介して、付勢部材の付勢力により加圧位置方向へ向かい、その後に本体側の係合部と装置カバーの被係合部とが係合する。本体側の係合部と装置カバーの被係合部とが係合するのに必要な負荷がピークに達する前に、一対の回転体を圧接状態とする加圧時に必要な負荷がピークに達するタイミングとなる。
（態様Ｃ）
（態様Ｂ）の画像形成装置において、一対の回転体を圧接状態とする加圧時に必要な負荷がピークに達するまでは、上記押圧レバーは上記揺動レバーを押圧し、一対の回転体を圧接状態とする加圧時に必要な負荷がピークに達してから上記装置カバーを閉じる際に必要な負荷がピークに達するまでは、該揺動レバーは該押圧レバーに対して上記装置カバーが閉じる方向に力を付与する。
これによれば、上記実施形態について説明したように、一対の回転体を圧接状態とする加圧時に必要な負荷がピークに達してからは、押圧レバーにより揺動レバーを押圧するのではなく、付勢部材によって付勢された揺動レバーが押圧レバーに対して装置カバーが閉じる方向に力を付与する。これにより、装置カバーを閉じる際の操作力をより低減できる。
（態様Ｄ）
（態様Ａ）（態様Ｂ）又は（態様Ｃ）の画像形成装置において、上記加圧機構一方の回転体の回転軸両端部に設置され、加圧時に必要な負荷がピークに達するタイミングが回転軸両端部で異なる。
これによれば、上記実施形態について説明したように、装置カバーを閉じる際に必要な操作力が分散されることになるので、両者のタイミングが一緒になり負荷が加算される場合に比べ操作力が低減される。
（態様Ｅ）
（態様Ａ）（態様Ｂ）（態様Ｃ）又は（態様Ｄ）の画像形成装置において、上記シート材搬送装置は、一方の回転体に定着ローラを用いる定着装置である。
これによれば、上記実施形態について説明したように、装置カバーの開閉動作に伴う操作力が低減され、ユーザビリティ性が向上する。
（態様Ｆ）
（態様Ａ）（態様Ｂ）（態様Ｃ）又は（態様Ｄ）の画像形成装置において、上記シート材搬送装置は、一方の回転体に定着ベルトを用いる定着装置である。
これによれば、上記実施形態について説明したように、装置カバーの開閉動作に伴う操作力が低減され、ユーザビリティ性が向上する。
【符号の説明】
【００４１】
２１  定着ローラ
２２  加圧ローラ
２３  支持軸
２４  加圧レバー
２５  揺動レバー
２６  加圧スプリング
２７  加圧フック
５０  装置本体
５４  カバーフックピン
６０  加圧機構
６１  装置カバー
６２  回動軸
６３  押圧レバー
６４  カバーフック
【先行技術文献】
【特許文献】
【００４２】
【特許文献１】特開２０１１−１７５２９６号公報
【特許文献２】特開平９−１０１６９６号公報
【特許文献３】特開２００３−２８７９７３号公報
【特許文献３】特開昭５９−６７５６８号公報
【図１】
2015041093.tif 000003
【図２】
2015041093.tif 000004
【図３】
2015041093.tif 000005
【図４】
2015041093.tif 000006
【図５】
2015041093.tif 000007
【図６】
2015041093.tif 000008